(57)【特許請求の範囲】
【請求項１】
携帯可能な尿器であって、
採尿口と連通口とを有する中空状の尿受部と、
前記尿受部を回動可能に枢支する支持部を有し、前記連通口から供給される尿を貯留可能な貯留部と、
前記尿受部と、前記貯留部との間の流路を有し、前記尿受部が前記貯留部に対して回動可能に伸縮可能である伸縮部と、
前記貯留部に固定された把持部と
を備えることを特徴とする尿器。
【請求項２】
前記貯留部に貯留された前記尿を排出可能な、前記採尿口よりも径の小さい排尿口と、
前記貯留部と前記排尿口とを連通させた開状態と、前記貯留部と前記排尿口との間の流路を塞いだ閉状態とに切替可能な開閉部と
をさらに備えることを特徴とする請求項１に記載の尿器。
【請求項３】
前記開閉部は、
前記閉状態において、前記貯留部と前記排尿口との間の流路を塞ぐ封止部材と、
前記封止部材を、前記貯留部側から前記排尿口側に向かって付勢する付勢部材とを
備え、
前記開閉部は、前記封止部材が前記付勢部材の付勢力に抗して前記排尿口側から前記貯留部側に移動した場合に、前記閉状態から前記開状態に切り替えられることを特徴とする請求項２に記載の尿器。
【請求項４】
前記排尿口と前記貯留部との間に設けられ、外部容器の開口部と係合可能な係合溝を有する第１係合部を有し、
前記封止部材は、前記外部容器の前記開口部が前記第１係合部と係合した場合に、前記外部容器と当接して、前記付勢部材の付勢力に抗して前記排尿口側から前記貯留部側に移動することを特徴とする請求項３に記載の尿器。
【請求項５】
所定方向に延びる第１孔を有する円筒状であり、前記第１係合部と前記外部容器の前記開口部とが係合していない場合に、前記第１係合部と係合可能な凸部を外周部に有する第２係合部と、前記所定方向に貫通し、前記第１孔と連通する第２孔を有し、前記第２係合部と接続された円盤状の第１円盤部と、前記所定方向に貫通する第３孔を有し、前記第１円盤部に対して、前記第２孔と前記第３孔とが連通しない第１位置と、前記第２孔と前記第３孔とが連通する第２位置とに回動可能に支持された円盤状の第２円盤部とを有し、前記外部容器を用いずに、前記貯留部に貯留された尿を前記排尿口から排出する場合に使用されるアダプタをさらに備えることを特徴とする請求項４に記載の尿器。
【請求項６】
前記連通口を塞ぐ蓋体をさらに備えることを特徴とする請求項１から５のいずれかに記載の尿器。
【請求項７】
前記貯留部の容積は、０．２リットル以上２．５リットル以下であり、
前記尿受部の回動軸は、前記貯留部の長手方向と交差する方向に延び、
前記貯留部の長手方向と、前記把持部の延設方向とは同じであることを特徴とする請求項１から６のいずれかに記載の尿器。
【発明の詳細な説明】
【技術分野】
【０００１】
本発明は、携帯可能な尿器に関する。
【背景技術】
【０００２】
近年、携帯可能な尿器が種々開発されている。例えば、特許文献１に記載の緊急用携帯排尿器は、排尿液収容体と、排尿液収容体に対して接続手段を介して接続される排尿受部材とからなる。排尿液収容体として、使い捨て可能なプラスチックフィルム製の袋状収容体及びペットボトルのような既存の定形型排尿収容体が用いられる。
【先行技術文献】
【特許文献】
【０００３】
【特許文献１】特許第３８２６７１５号公報
【発明の概要】
【発明が解決しようとする課題】
【０００４】
特許文献１に記載の緊急用携帯採尿器は、排尿液収容体を排尿受部材に接続した不安定な状態で使用される必要がある。排尿液収容体がペットボトルである場合、緊急用携帯採尿器は、排尿液収容体が使用者の前斜め下方に突き出す状態になるので、例えば、車両中等で、着座した状態では使用しにくい。
【０００５】
本発明の目的は、従来に比べ快適に使用可能な尿器を提供することにある。
【課題を解決するための手段】
【０００６】
本発明の一態様に係る尿器は、携帯可能な尿器であって、採尿口と連通口とを有する中空状の尿受部と、前記尿受部を回動可能に枢支する支持部を有し、前記連通口から供給される尿を貯留可能な貯留部と、前記尿受部と、前記貯留部との間の流路を有し、前記尿受部が前記貯留部に対して回動可能に伸縮可能である伸縮部と、前記貯留部に固定された把持部とを備える。
【０００７】
本態様の尿器は、貯留部を備えるので、使用時に外部容器を尿器に接続する必要が無い。したがって、使用者は、外部容器の接続状態を気にする必要が無く、従来の尿器に比べ、快適に尿器を使用できる。尿受部は、貯留部に回動可能に支持されている。尿器は、使用者の体勢に合わせて、貯留部に対する尿受部の角度を変えることができる。使用者は、貯留部に対する尿受部の角度を調整できるので、自然な体勢で尿器を使用できる。
【０００８】
本態様の尿器において、尿器は前記貯留部に貯留された前記尿を排出可能な、前記採尿口よりも径の小さい排尿口と、前記貯留部と前記排尿口とを連通させた開状態と、前記貯留部と前記排尿口との間の流路を塞いだ閉状態とに切替可能な開閉部とをさらに備えてもよい。
【０００９】
この場合の尿器は、貯留部に貯留された尿を、排尿口から尿器の外に排出可能である。本態様の尿器は、採尿口と排尿口とが別々に設けられているため、尿を貯留部から排出する際に、採尿口が変形したり、汚れたりしにくい。したがって、本態様の尿器は、貯留部に貯留された尿の後処理が容易であり、尿器に貯留された尿を排尿口から排出することにより、繰り返し快適に使用可能である。
【００１０】
本態様の尿器において、前記開閉部は、前記閉状態において、前記貯留部と前記排尿口との間の流路を塞ぐ封止部材と、前記封止部材を、前記貯留部側から前記排尿口側に向かって付勢する付勢部材とを備え、前記開閉部は、前記封止部材が前記付勢部材の付勢力に抗して前記排尿口側から前記貯留部側に移動した場合に、前記閉状態から前記開状態に切り替えられてもよい。
【００１１】
この場合の尿器は、開閉部の構成が比較的簡単である。使用者は、封止部材を移動させるという比較的簡単な操作によって、開閉部を閉状態から開状態に切り替えて、貯留部に貯留された尿を尿器の外に排出できる。
【００１２】
本態様の尿器において、前記排尿口と前記貯留部との間に設けられ、外部容器の開口部と係合可能な係合溝を有する第１係合部を有し、前記封止部材は、前記外部容器の前記開口部が前記第１係合部と係合した場合に、前記外部容器と当接して、前記付勢部材の付勢力に抗して前記排尿口側から前記貯留部側に移動してもよい。
【００１３】
この場合の尿器によれば、使用者は、外部容器の開口部と第１係合部とを係合させるという簡単な操作によって、開閉部を閉状態から開状態に切り替え、貯留部に貯留された尿を外部容器に移すことができる。
【００１４】
本態様の尿器において、所定方向に延びる第１孔を有する円筒状であり、前記第１係合部と前記外部容器の前記開口部とが係合していない場合に、前記第１係合部と係合可能な凸部を外周部に有する第２係合部と、前記所定方向に貫通し、前記第１孔と連通する第２孔を有し、前記第２係合部と接続された円盤状の第１円盤部と、前記所定方向に貫通する第３孔を有し、前記第１円盤部に対して、前記第２孔と前記第３孔とが連通しない第１位置と、前記第２孔と前記第３孔とが連通する第２位置とに回動可能に支持された円盤状の第２円盤部とを有し、前記外部容器を用いずに、前記貯留部に貯留された尿を前記排尿口から排出する場合に使用されるアダプタをさらに備えてもよい。
【００１５】
この場合の尿器は、尿器の第１係合部に係合可能な外部容器がない場合にも、第２係合部を、第１係合部に係合させることで、開閉部を閉状態から開状態に切り替え可能である。さらに尿器は、第２円盤部を回動させ、第１位置と、第２位置とに切り替えることによって、排尿口から供給される尿を外部に排出するか否かを切り替えることができる。
【００１６】
本態様の尿器において、前記連通口を塞ぐ蓋体をさらに備えてもよい。この場合の尿器は、尿器を使用後、貯留部に蓋体を装着しておくことで、貯留部に貯留された尿をこぼしたり、尿の臭いが周囲に拡散させたりすることなく、尿を貯留部に貯留しておくことができる。また、この場合の尿器は、貯留部にゴミ等の異物が入ることを防止できるので、使用者は蓋をとって快適に尿器を使用できる。
【００１７】
本態様の尿器において、前記貯留部の容積は、０．２リットル以上２．５リットル以下であり、前記尿受部の回動軸は、前記貯留部の長手方向と交差する方向に延び、前記貯留部の長手方向と、前記把持部の延設方向とは同じであってもよい。
【００１８】
この場合の尿器は、比較的コンパクトであり、収納が容易である。尿器は、例えば、車両のドアポケットに収納可能である。この場合、使用者は、尿器を車両のドアポケットに収納しておくことで、渋滞時等で車両内で尿器が必要になったときに、すぐに取り出して快適に使用できる。
【図面の簡単な説明】
【００１９】
【図１】第１姿勢の尿器１と、尿器１を支持可能な支持台５０との斜視図である。
【図２】支持台５０に支持された、第１姿勢の尿器１の左側面図である。
【図３】第２姿勢の尿器１の左側面図である。
【図４】第１姿勢の尿器１の平面図である。
【図５】（Ａ）は第１姿勢における閉状態の開閉部８を拡大した斜視図であり、（Ｂ）は封止部材８１の斜視図である。
【図６】第１姿勢における開状態の開閉部８を拡大した斜視図である。
【図７】（Ａ）は閉状態の開閉部８の断面図であり、（Ｂ）は開状態の開閉部８の断面図である。
【図８】アダプタ１００を備える尿器１０１の、係合部７及び開閉部８の断面図である。
【図９】アダプタ１００の斜視図である。
【図１０】（Ａ）は閉状態のアダプタ１００の第１円盤部１１１及び第２円盤部１１２の背面図であり、（Ｂ）は（Ａ）のＦ−Ｆ線における矢視方向断面図であり、（Ｃ）は（Ａ）のＥ−Ｅ線における矢視方向断面図である。
【図１１】（Ａ）は開状態のアダプタ１００の第１円盤部１１１及び第２円盤部１１２の背面図であり、（Ｂ）は（Ａ）のＨ−Ｈ線における矢視方向断面図であり、（Ｃ）は（Ａ）のＧ−Ｇ線における矢視方向断面図である。
【図１２】変形例のアダプタ２００の斜視図である。
【図１３】変形例の尿器２０１の斜視図である。
【発明を実施するための形態】
【００２０】
以下、本発明を具体化した尿器の一実施形態について、図面を参照して説明する。尿器１は、携帯可能な男女兼用の尿器である。以下の説明では図中に矢印で示す上下、左右、前後を使用する。
【００２１】
［１．第１実施形態の尿器１の構成］
図１から図３に示すように、第１実施形態の尿器１は、所定の厚みを有し、前後方向に延びる、略円筒状の中空体の容器である。尿器１の形状は、尿器１が使用者の股に挟んだ状態で使用されること、及び車両のドアポケットに収容されることが考慮され、前後方向の長さに比べ、左右方向及び上下方向の長さが短い形状である。
【００２２】
尿器１は、尿受部２、伸縮部３、貯留部４、把持部５、排尿口６、係合部７、及び開閉部８を備える。尿受部２は、尿器１の一端部に設けられた、尿を受ける部位である。図１に示すように、尿受部２は前後方向に長い略楕円筒形のロート状をなす。尿受部２は、図２に示す第１姿勢と、図３に示す第２姿勢とに切り替え可能に、貯留部４の支持部４２（後述）に枢支されている。図２に示すように、第１姿勢は、尿受部２の長手方向が、尿器１（貯留部４）の長手方向と一致する方向である。本例の尿器１の長手方向は、前後方向である。第２姿勢は、貯留部４が尿受部２に対し、第１姿勢から、左側面視略９０度時計回りに回転した姿勢である。第２姿勢では、尿受部２の長手方向は、尿器１（貯留部４）の長手方向と略直角に交わる。以下の説明では、尿受部２が第１姿勢にある場合を基準に、尿器１の説明をする。
【００２３】
図１から図４に示すように、尿受部２は、採尿口２１、連通口２２、ネジ部２３、及び回動軸２４を備える。採尿口２１を含む尿受部２の一端部（後端部）は楕円筒形状である。採尿口２１は、尿器１が女性の使用者によって使用される場合に、尿道口を囲い、尿道口の周縁部に密着可能に、左側面視後上方向に開口した鉤状を有する。採尿口２１は、尿道口の周縁部に当接される場合を考慮し、比較的柔らかい素材（例えば、軟質のプラスチック、シリコン、及びゴム）で形成されることが好ましい。このようにすれば、尿器１は、人体の尿道口周縁部に尿受部２の採尿口２１を密着させて使用された場合にも快適に使用できる。また尿器１は、皮膚と採尿口２１との密着性を高めて尿が外部に漏出することを阻止できる。採尿口２１は、尿受部２の他の部位と同じ素材で形成されてもよいし、別の素材で形成されてもよい。
【００２４】
図３に示すように、連通口２２は、尿器１の採尿口２１とは反対側に形成された開口である。連通口２２を含む他端部（前端部）は円筒状である。ネジ部２３は、採尿口２１と連通口２２との間の流路を塞ぐ蓋体２５を係合可能な係合溝である。着脱可能な蓋体２５は、ネジ部２３に係合可能なネジ山部２６と、摘まみ部２７を有する。本例の摘まみ部２７の外径は、ネジ山部２６径より小さく設定されている。摘まみ部２７の形状は、使用者が手で摘まみやすいように、板状である。使用者が、採尿口２１を含む尿受部２に触れずに蓋体２５を着脱可能とするために、ネジ部２３は、採尿口２１側に、左側面視、採尿口２１の輪郭の延設方向と、連通口２２の輪郭の延設方向との双方に交わる方向に傾いて設けられている。摘まみ部２７のネジ山部２６に直行する方向の長さは、蓋体２５が尿器１に装着された場合に、摘まみ部２７の後端が採尿口２１の外側に配置される長さである。
【００２５】
このような構成により尿器１は、尿受部２の小型化と、蓋体２５の装着性の向上が図られている。ネジ部２３に蓋体２５が係合された場合、尿器１は、貯留部４に異物が入ることを防止できる。ネジ部２３に蓋体２５が係合された場合、尿器１は、貯留部４に貯留された尿の臭いが周囲に拡散させることなく、尿を貯留部４に貯留できる。回動軸２４は、尿受部２の外周面に設けられた、外側に向かって突出する左右一対の軸である。尿受部２の回動軸２４は、貯留部４の長手方向と交差する方向に延びる。本例では、尿受部２の回動軸２４は、左右方向の延び、貯留部４の長手方向と略直交する方向に延びる。
【００２６】
図１から図４に示すように、伸縮部３は、尿受部２の他端側（前端側）に設けられ、尿受部２と、貯留部４との各々に接続され、尿受部２と、貯留部４との間の流路を有する。伸縮部３は、尿受部２が貯留部４に対して回動可能に伸縮可能である。本例の伸縮部３は尿受部２を、貯留部４に対して回動可能に伸縮可能な、蛇腹状の筒状の部位である。伸縮部３は、接続部３１、３２及び蛇腹部３３を備える。接続部３１は、伸縮部３の一端側（図２の第１姿勢において後端側）に設けられた円筒状の部位である。接続部３１は、尿受部２の回動軸２４よりも採尿口２１側において、尿受部２の外周面に全周にわたって当接し、尿受部２の外周面に固定される。接続部３２は、伸縮部３の他端側（図２の第１姿勢において前端側）に設けられた円筒状の部位である。接続部３２は、貯留部４の開口４１付近の外周面と全周にわたって当接し、尿受部２の外周面に固定される。このような構成により、伸縮部３の内周面は、尿受部２と、貯留部４との間の流路をなす。尿受部２の連通口２２から供給された尿は、尿器１の外部に漏れることなく、貯留部４に流入する。
【００２７】
貯留部４は、尿受部２の連通口２２から供給される尿を貯留可能な、有底円筒状の部位である。貯留部４の容積は、１回の使用で貯留可能な尿の量を考慮された大きさである。具体的には、貯留部４の容積は、０．２リットル以上２．５リットル以下である。貯留部４は、適度な硬度を有するプラスチック（例えばポリエチレン、ポリプロピレン等）によって成形される。貯留部４は、開口４１、支持部４２、軸孔４３及び凹部４４を備える。開口４１は、尿受部２側に設けられた開口である。支持部４２は、開口４１から後方に延設された、左右一対の板状部位である。支持部４２の後端部は、下方に屈曲している。左右一対の支持部４２の間に、尿受部２が配置される。軸孔４３は、支持部４２の後端部に設けられた、支持部４２の厚み方向に貫通した側面視円状の孔である。軸孔４３には、尿受部２の回動軸２４が内側から挿入される。支持部４２は、尿受部２を回動軸２４を中心に回動可能に支持する。伸縮部３は、支持部４２の外側に配置される。凹部４４は、貯留部４の外周面の下面に設けられた上側に凹む部分である。凹部４４の前後方向の幅は約３ｃｍである。凹部４４は、後述の支持台５０によって支持される場合に、尿器１の姿勢を安定させる役割を果たす。
【００２８】
把持部５は、尿器１の上前部に設けられた把手である。把持部５は、使用者が尿器１を使用する際に、尿器１を保持し、貯留部４に対する尿受部２の角度を調整するのに使用される。使用者が女性である場合、把持部５は、採尿口２１を尿道口の周縁部に適度な圧力で当接させるために使用される。把持部５は、貯留部４と一体に成形されている。把持部５の延設方向とは、貯留部４の長手方向と同じであり、本例では前後方向である。
【００２９】
排尿口６は、正面視円状の孔であり、貯留部４に貯留された尿を尿器１の外部に排出可能な開口である。排尿口６は、尿器１の使用の妨げにならない位置に取り付けられることが好ましい。本例の排尿口６は、図２の第１姿勢における尿器１の前下部に設けられている。本例の排尿口６は、図３の第２姿勢における尿器１の下後部に設けられている。本例の排尿口６は、貯留部４に対する尿受部２の姿勢によらず、採尿口２１とは異なる向きにある。本例の排尿口６は、採尿口２１との距離が略最大となる位置にある。排尿口６の径は、採尿口２１の短径よりも小さい。
【００３０】
図５から図７に示すように、係合部７は、貯留部４の長手方向に貫通する孔を有する筒状の部位である。係合部７は、前側から順に第１係合部７１、係合部７２及びフランジ部７３を有する。第１係合部７１は、前後方向に延びる円筒状の部位である、第１係合部７１は、内周面に、汎用の外部容器Ｐ（例えば、汎用の５００ｍｌ容のペットボトル）の開口部Ｐ１のネジ山と係合可能な係合溝を有する。係合部７２は、後述の開閉部８の封止部材８１と係合可能に構成された、前側ほど径が小さい半球状の凹部を有する筒状部である。係合部７２の前端は、第１係合部７１の後端と連結する。本例では第１係合部７１と係合部７２の連結部が、排尿口６である。フランジ部７３は、係合部７２の後端部から外側に突出したリング状の鍔である。フランジ部７３は、上下左右方向に延びる平面と平行に延設される。
【００３１】
開閉部８は、貯留部４と排尿口６との間の流路を連通させた開状態と、貯留部４と排尿口６との間の流路を塞いだ閉状態とに切替可能である。尿器１の使用時には、開閉部８は閉状態である。開閉部８が閉状態である場合、採尿口２１から供給された尿は、貯留部４に貯留される。開閉部８が開状態である場合、貯留部４に貯留された尿は、排尿口６から尿器１の外部に排出される。
【００３２】
本例の開閉部８は、封止部材８１、支持部材８２、及び付勢部材８３を備える。封止部材８１は、閉状態において、貯留部４と排尿口６との間の流路を塞ぐ。封止部材８１は、係合部７２の形状に対応した形状を有する。具体的には図５（Ｂ）に示すように、封止部材８１は、前側ほど径が小さいテーパ形状を有する。封止部材８１は、シリコン及びゴム等の比較的軟らかい材料で成形することが好ましく、その硬度は封止部材８１の前端部が弾性変形する程度のものである。封止部材８１は、前側の球面に、段部８９及び溝部８４を備える。段部８９は、上下左右方向を含む平面と略平行な正面視リング状の面である。リング状の段部８９の内径は、外部容器Ｐの開口部Ｐ１の内径よりも僅かに小さい。リング状の段部８９の外径は、外部容器Ｐの開口部Ｐ１の外径よりも僅かに大きい。溝部８４は、封止部材８１の前端部から後端側にかけて、段部８９を跨いで形成される。開閉部８が開状態にある場合、溝部８４は、貯留部４と排尿口６との間の流路となる。封止部材８１の後端部には前後方向に延びる棒８５が接続される。
【００３３】
図５及び図６に示すように、支持部材８２は、支持台８６及び３本の支持棒８７を備える。支持台８６は、フランジ部７３の正面視の外径と同程度の外径、及び所定の厚みを有する円盤状の部材である。３本の支持棒８７は、支持台８６と、フランジ部７３との各々に挿通され、ネジ止め固定される。支持台８６は、３本の支持棒８７によって、フランジ部７３に対して略平行に、フランジ部７３と所定の間隔をあけて支持される。支持台８６の中央には前後方向に貫通する孔８８が設けられる。孔８８には棒８５が挿通される。孔８８は、封止部材８１の前後方向の移動を案内する。
【００３４】
付勢部材８３は、封止部材８１を、貯留部４側から排尿口６側に向かって付勢する。付勢部材８３は、例えばコイルスプリングであり、棒８５に挿通された状態で支持台８６と封止部材８１との間に配置される。封止部材８１は、付勢部材８３によって前方に付勢される。このため、図５（Ａ）及び図７（Ａ）に示すように、封止部材８１は、テーパ状に形成された係合部７２と当接し、貯留部４と係合部７（排尿口６）との間の流路を塞ぐ。図６及び図７（Ｂ）に示すように、外部容器Ｐの開口部Ｐ１が係合部７と係合した場合、封止部材８１は、封止部材８１の段部８９が外部容器Ｐの開口部Ｐ１と当接して付勢部材８３の付勢力に抗して排尿口６側から貯留部４側に移動する。このとき、封止部材８１は係合部７２から離間し、封止部材８１と、係合部７２との間の隙間、及び溝部８４を介して、貯留部４と排尿口６（外部容器Ｐの開口部Ｐ１）との間の流路が連通する。この場合、貯留部４に貯留された尿は、外部容器Ｐに排出される。
【００３５】
［２．第１実施形態の尿器１の使用方法］
使用者は、尿器１を使用する場合、まず蓋体２５を取り外す。使用者は開閉部８を閉状態とする。使用者が女性である場合、把持部５を掴んで、尿受部２を尿道口の周縁部に適度な圧力で押し当て、尿受部２の角度を調整する。使用者が男性である場合、把持部５を掴んで、尿受部２の連通口２２に陰茎を挿入し、尿受部２の角度を調整する。使用後、使用者は蓋体２５を連通口２２に係合させて、尿器１外に尿がこぼれたり、尿の臭いが拡散したりすることを防ぐ。使用者は、貯留部４に貯留された尿を排出する場合、係合部７に外部容器Ｐの開口部Ｐ１を係合させて、外部容器Ｐに移す。使用者は、尿器１を水等の清潔な液体で洗浄し、乾燥後、尿器１を所定の場所（例えば、車両のドアポケット）に保管する。
【００３６】
尿器１が室内で保管される場合には、例えば、図１及び図２に示す支持台５０が利用される。支持台５０は、尿器１を安定した姿勢で保管するために使用される。支持台５０は、基底部５１及び支持腕部５２、５３を備える。基底部５１は、左右方向に長い矩形状であり、所定の厚みを有する板状である。支持台５０（基底部５１）の前後方向の幅は、貯留部４の下部に設けられた凹部４４の幅と対応する。支持台５０（基底部５１）の左右方向の長さは、例えば、尿器１を安定して支持可能な長さが設定され、例えば貯留部４の左右方向の幅Ｌ（図４参照）の２から４倍程度である。本例では、幅Ｌは６ｃｍ程度であり、支持台５０の左右方向の長さは１５から１８ｃｍである。支持腕部５２、５３は基底部５１の左右方向中心から所定の間隔をあけて略垂直に同一方向に延びる。支持腕部５２，５３の間隔は、尿器１の左右方向の幅に対応する。図１に示すように、使用者は、支持台５０を利用して尿器１を保管する場合、尿器１を、第１姿勢で、且つ、把持部５を上にした状態で、支持腕部５２、５３の間に挿入する。図２に示すように、使用者は貯留部４の凹部４４に、基底部５１を係合させる。このとき、伸縮部３の下端と、貯留部４の底面と、基底部５１の下面とは略同一直線上になる。支持腕部５２、５３の先端部は、内側に向けて屈曲されており、支持腕部５２、５３の間に挿入された尿器１を挟持する。このような構成により、尿器１は、転倒することなく、支持台５０によって安定して支持される。支持台５０は、机及び棚等に固定されてもよい。支持台５０は室内の壁及びベッドの側面等に固定されてもよい。支持台５０の形状、構成及び寸法は適宜変更されてよい。
【００３７】
尿器１において、採尿口２１、連通口２２、尿受部２、支持部４２、貯留部４、伸縮部３、及び把持部５は各々、本発明の採尿口、連通口、尿受部、支持部、貯留部、伸縮部、及び把持部に相当する。排尿口６、開閉部８、封止部材８１、付勢部材８３、及び蓋体２５は各々、排尿口、開閉部、封止部材、付勢部材、及び蓋体に相当する。
【００３８】
尿器１によれば、以下の効果が得られる。尿器１は、貯留部４を備えるので、使用時に外部容器Ｐを尿器１に接続する必要が無い。したがって、使用者は、外部容器Ｐの接続状態を気にする必要が無く、従来の尿器に比べ、快適に尿器１を使用できる。尿受部２は、貯留部４に回動可能に支持されている。使用者は、使用者の前方となる位置において、尿器１の把持部５を把持しながら、貯留部４に対する尿受部２の角度を調整できる。尿受部２が貯留部４の支持部４２に枢支されている。したがって、使用者は、尿受部２が貯留部４に枢支されていない場合に比べ、尿受部２に対する貯留部４の位置が限定され、角度の調整が容易であり、且つ、貯留部４に対する尿受部２の角度を安定させることができる。使用者は、車両等の比較的狭い空間において尿器１を使用する場合でも、貯留部４に対する尿受部２の角度を調整できるので無理のない姿勢で快適に尿器１を使用できる。尿器１が、第２姿勢で使用される場合、第１姿勢で使用される場合に比べ、前後方向の長さが短くなる。このため、車両等の比較的狭いスペースで使用される場合に特に適している。尿器１が、第２姿勢で使用される場合、第１姿勢で使用される場合に比べ、貯留部４から尿受部２への尿の逆流が防止され、貯留部４に貯留可能な尿の量を増やすことができる。
【００３９】
尿器１は、貯留部４に貯留された尿を、排尿口６から尿器１の外部に排出可能である。尿器１は、採尿口２１と排尿口６とが別々に設けられているため、尿器１を貯留部４から排出する際に、採尿口２１が変形したり、汚れたりしにくい。したがって、本態様の尿器１は、尿器１に貯留された尿を排尿口６から排出することにより、繰り返し快適に使用可能である。
【００４０】
尿器１は、係合部１８に外部容器Ｐの開口部Ｐ１を係合させることで、開閉部８の封止部材８１を閉位置から開位置に移動させることができる。使用者は、係合部１８に外部容器Ｐの開口部Ｐ１を係合させるという簡単な操作によって、貯留部４に貯留された尿を外部容器Ｐに確実に移すことができる。尿器１では、貯留部４に貯留された尿を外部容器Ｐに移す際に、使用者に尿がかかったり、尿が飛散したりしにくい。例えば、渋滞等で、貯留部４に貯留された尿をトイレ等に排出する機会が無く、尿器１を比較的短い期間内に何度も使用したい状況がある。このような場合でも、使用者は、貯留部４に貯留された尿を外部容器Ｐに移すことで、繰り返し尿器１を使用可能である。また尿器１は男女兼用であるので、男女別々の尿器を準備する必要が無い。したがって、使用後に水等の清潔な液体ですすいで使用することにより、例えば夫婦、親子等の家族間で共用できる。
【００４１】
使用者は、尿器１を使用後、蓋体２５をネジ部２３に係合させることで、貯留部４に貯留された尿をこぼしたり、尿の臭いを周囲に拡散させたりすることなく、尿を貯留部４に貯留しておくことができる。また、尿器１は、蓋体２５を装着しておくことによって、貯留部４にゴミ等の異物が入ることを防止できるので、使用者は、蓋体２５がない場合に比べ、快適に尿器１を使用できる。
【００４２】
尿器１は、車両のドアポケットに収納可能な形状及び大きさである。使用者は、尿器１を車両のドポケットに収納しておくことで、渋滞時等で、車両内で必要になったときに、すぐに取り出して快適に使用できる。尿器１は、ベッド又は布団の脇等に収納可能な形状及び大きさである。使用者は、尿器１をベッド又は布団の脇等に収納しておくことで、尿意を催したときに、すぐに取り出して快適に使用できる。尿器１は、携帯可能な形状及び大きさである。使用者は、携帯して外出することで、外出先で必要になったときに、取り出して快適に使用できる。尿器１は、使用者が、頻尿、尿意切迫、及び尿失禁の症状を有する場合に、特に有益である。
【００４３】
［３．第２実施形態の尿器１０１の構成］
図８から図１１を参照して、第２実施形態の尿器１０１について説明する。図８に示すように、尿器１０１は、第１実施形態の尿器１に加え、アダプタ１００を有する。アダプタ１００は、尿器１０１の係合部７に係合可能な外部容器Ｐを用いずに、貯留部４に貯留された尿を排尿口６から排出する場合に使用される。図８及び図９に示すように、アダプタ１００は、第２係合部１１０、第１円盤部１１１、第２円盤部１１２、支持部１１３、及び円筒部１１４を備える。第２係合部１１０は、所定方向（前後方向）に延びる第１孔１１６（図８参照）を有する円筒状の形状であり、外周面に係合部７の第１係合部７１と係合可能な凸部を有する。
【００４４】
第１円盤部１１１及び第２円盤部１１２は、略同じ径、及び略同じ厚みを有する円盤状である。第１円盤部１１１の後端は、第２係合部１１０の前端と連結する。図１０及び図１１に示すように、第１円盤部１１１は所定方向（前後方向）に貫通する中心孔１１７及び第２孔１２１を有する。中心孔１１７は、第１円盤部１１１の円の中心に設けられた背面視円状の孔である。第２孔１２１は、背面視第１円盤部１１１の円の中心を中心とする所定半径の円弧を半円よりも若干小さめに切り欠いた形状を有する。第２孔１２１は、第１係合部７１の第１孔１１６と連通する。第１円盤部１１１は、前面に前方に向かって突出する、背面視円状の凸部１２２を有する。第１円盤部１１１は、前面に、背面視、第１円盤部１１１の円の中心を中心とする所定半径の円状の後方に向かって凹む凹部１４１、１４２を有する。所定半径が大きい順に、凹部１４１、第２孔１２１、凹部１４２である。
【００４５】
第２円盤部１１２は、所定方向（前後方向）に貫通する中心孔１１８及び第３孔１２３を有する。中心孔１１８は、第２円盤部１１２の円の中心に設けられた背面視円状の孔である。第３孔１２３は、背面視第２円盤部１１２の円の中心を中心とする所定半径の円弧を半円よりも若干小さめに切り欠いた形状を有する。図１０（Ａ）において、第３孔１２３と、第２孔１２１とは、背面視、第１円盤部１１１の中心点を通る上下方向に延びる線について左右対称である。第２円盤部１１２は、背面に後方に向かって突出する、背面視円状の凸部１２４を有する。第２円盤部１１２は、背面に、背面視、第２円盤部１１２の円の中心を中心とする所定半径の円状の、後方に向かって突出する凸部１３１、１３２を有する。所定半径が大きい順に、凸部１３１、第３孔１２３、凸部１３２である。凸部１３１、１３２の形成位置は各々、凹部１４１、１４２の形成位置に対応している。
【００４６】
支持部１１３は、所定方向（前後方向）に延びる棒状に形成され、中心孔１１７及び中心孔１１８に挿し込まれる。このとき、第１円盤部１１１の凸部１２２は、第２円盤部１１２の第３孔１２３に挿入される。第２円盤部１１２の凸部１２４は、第１円盤部１１１の第２孔１２１に挿入される。凸部１３１、１３２は各々、凹部１４１、１４２と係合する。この状態で、支持部１１３の両端部はナットで固定される。前側のナット１２５と、第２円盤部１１２との間には、支持部１１３に挿通された付勢部材１１９が配置される。付勢部材１１９は、例えば、コイルバネである。付勢部材１１９は、第２円盤部１１２を第１円盤部１１１側に所定の圧力で押し、第２円盤部１１２と、第１円盤部１１１との間の密着性を高める。付勢部材１１９が第２円盤部１１２に加える付勢力は、ナット１２５の締め付け量（ナット１２５と第２円盤部１１２との距離）によって調整される。このような構成により第１円盤部１１１は、第２円盤部１１２に対し、密着し、且つ、回動可能に支持される。付勢部材１１９は、支持部１１３の前端側ではなく、後端側に設けられてもよい。
【００４７】
アダプタ１００は、第１円盤部１１１に対する第２円盤部１１２の位置を図１０に示す第１位置と、図１１に示す第２位置とに切り替えることによって、排尿口６から排出された尿を、外部に排出するか否かを切り替え可能である。第１円盤部１１１に対する第２円盤部１１２の位置が、第１位置にある場合、第２孔１２１と第３孔１２３とは連通しない。凸部１３１、１３２は各々、凹部１４１、１４２と係合しているため、第１円盤部１１１と、第２円盤部１１２との間の隙間から、尿が漏れることが抑制される。したがって、尿器１にアダプタ１００が装着されると開閉部８が開状態になるが、第１円盤部１１１に対する第２円盤部１１２の位置が、第１位置にある場合、アダプタ１００から外部に排出されない。
【００４８】
第１円盤部１１１に対する第２円盤部１１２の位置が、第２位置にある場合、第２孔１２１と第３孔１２３とは連通する。第１円盤部１１１に対する第２円盤部１１２の位置が、第２位置にある場合、第１円盤部１１１に対する第２円盤部１１２の位置が、第１位置にある場合、排尿口６から排出された尿は、アダプタ１００を経て外部に排出される。第１円盤部１１１に対する第２円盤部１１２の位置を変更する際の、第１円盤部１１１と第２円盤部１１２との間の摩擦を低減するために、第１円盤部１１１と第２円盤部１１２との間にグリース等が適宜塗布されてもよい。凸部１３１、１３２及び凹部１４１、１４２の形状は適宜変更されてよい。
【００４９】
図８及び図９に示すように、円筒部１１４は、所定方向（前後方向）に延びる円筒形の形状を有し、第２円盤部１１２の前面に接続されている。円筒部１１４の軸孔は、第２円盤部１１２の第３孔１２３と連通する。円筒部１１４は後端側から前端側に向かうほど径が小さい。
【００５０】
［４．第２実施形態の尿器１０１（アダプタ１００）の使用方法］
尿器１の使用方法は、第１実施形態と同様である。尿器１にアダプタ１００を取り付ける場合、使用者は、第１円盤部１１１に対する第２円盤部１１２の位置を、第１位置にする。使用者は、アダプタ１００を尿器１の係合部７に係合させる。これにより、開閉部８は閉状態から開状態に切り替えられ、排尿口６と、第１孔１１６とが連通する。第２孔１２１と、第３孔１２３とは連通しない。使用者は、円筒部１１４の前端を外部容器に挿入したり、トイレ等の尿を処理可能な装置に向けたりした状態で、第１円盤部１１１に対する第２円盤部１１２の位置を、第２位置にする。この操作により、第２孔１２１と、第３孔１２３とが連通し、排尿口６から排出された尿は、第１孔１１６、第２孔１２１、第３孔１２３とを介して、円筒部１１４から尿器１０１の外部に排出される。
【００５１】
上記の尿器１０１において、第１孔１１６、第２係合部１１０、第２孔１２１、第１円盤部１１１、第３孔１２３、及び第２円盤部１１２は各々、第１孔、第２係合部、第２孔、第１円盤部、第３孔、及び第２円盤部に相当する。
【００５２】
尿器１０１は、係合部７の第１係合部７１に係合可能な外部容器Ｐがない場合にも、第２係合部１１０を、第１係合部７１に係合させることで、開閉部８を閉状態から開状態に切り替え可能である。外部容器Ｐが汎用のペットボトルである場合、一般に流通しているペットボトルの開口部の種類は複数ある。尿器１は、例えば、最も一般的に流通している種類のペットボトルと係合可能に製造される。したがって、尿器１は、全ての種類のペットボトルと係合可能ではない。このような場合であっても、尿器１は、アダプタ１００を尿器１に装着することで、貯留部４に貯留された尿を、尿器１に係合できない外部容器にも排出可能である。尿器１は、さらに尿器１０１は、第２円盤部１１２を回動させ、第１位置と、第２位置とに切り替えることによって、排尿口６から供給される尿を外部に排出するか否かを切り替えることができる。このため尿器１０１は、排尿口６から供給される尿を外部に排出するか否かを切り替え可能ではない場合に比べ、貯留部４に貯留された尿を、尿器１に係合できない外部容器に排出する際の操作性を向上できる。
【００５３】
本発明の尿器は、上記した実施形態に限定されるものではなく、本発明の要旨を逸脱しない範囲内において種々変更が加えられてもよい。例えば、以下の（Ａ）から（Ｄ）の変形が適宜加えられてもよい。
【００５４】
（Ａ）尿器１の形状及び大きさは適宜変更されてよい。例えば貯留部４の容積及び形状は適宜変更されてよい。貯留部４の支持部４２の構成は適宜変更されてよい。把持部５の形状及び配置は適宜変更されてよい。伸縮部３は、尿受部２と貯留部４とを連結可能であればよい適宜変更されてよい。例えば、伸縮部３は弾性を有するゴムで形成された筒状であってもよい。
【００５５】
（Ｂ）アダプタ１００の構成は適宜変更されてよい。例えば、図１２に示すアダプタ２００でもよい。アダプタ２００は、第２係合部２１０、開閉バルブ２１１、及び円筒部２１２を備える。第２係合部２１０は、所定方向（前後方向）に延びる第１孔（図示略）を有する円筒状の形状であり、外周面に係合部７の第１係合部７１と係合可能な凸部を有する。開閉バルブ２１１は、排尿口６と、円筒部２１２との間の流路の開閉を切り替え可能である。円筒部２１２は、所定方向（前後方向）に延びる円筒状の形状を有し、開閉バルブ２２１の前面に接続されている。円筒部２１２は後端側から前端側に向かうほど径が小さい。円筒部２１２の外周には、複数の外径の異なる段部がある。円筒部２１２の外周の段部には、例えば、段部の外径に応じた内径を有するチューブを装着可能である。
【００５６】
他の例では、アダプタ１００は、円筒部１１４にシリコンとの弾性を有する部材で形成されたチューブを結合した構成でもよい。この場合、クリップ等の挟持部材でチューブを挟持するか否かによって、尿の流路の開閉を切り替え可能であってもよい。アダプタ１００は必要に応じて省略されてよい。第１円盤部１１１及び第２円盤部１１２は、凸部１３１、１３２、凹部１４１、１４２は適宜省略してもよい。
【００５７】
（Ｃ）排尿口６、係合部７及び開閉部８は必要に応じて省略されてよい。排尿口６及び開閉部８が省略される場合、貯留部４に貯留された尿は、尿受部２の採尿口２１から排出されてもよい。排尿口６、係合部７及び開閉部８は必要に応じて適宜構成、配置等を変更されてよい。尿器が係合部を備える場合、係合部の形状は、想定される外部容器の開口部に応じて適宜変更してよい。尿器が排尿口を備える場合、開閉部を省略し、排尿口を封止する着脱可能な蓋体（例えば、ねじ込み式の蓋体、封止キャップ等）が設けられてもよい。
【００５８】
尿器が排尿口を備える場合、貯留部と排尿口とを連通する流路を開閉可能なバルブを開閉部として備えてもよい。変形例の尿器２０１を図１３を参照して説明する。図１３に示すように、変形例の尿器２０１は、第１実施形態の尿器１と同様の尿受部２、採尿口２１、伸縮部３、貯留部４、及び把持部５と、尿器１と異なる排出部２３０を備える。尿器１と同様の構成については説明を省略し、尿器１と異なる構成について説明する。
【００５９】
排出部２３０は、貯留部４の前下側に接続されている。排出部２３０は、貯留部４に貯留された尿を外部に排出可能な部位である。排出部２３０は、前側から順に排尿口２０６、係合部２０７、開閉部２０８、及び円筒部２１２を備える。
【００６０】
排尿口２０６は、正面視円状の孔であり、貯留部４に貯留された尿を尿器１の外部に排出可能な開口である。排尿口２０６は、円筒部２１２の前端に設けられる。排尿口２０６は、尿器２０１の使用の妨げにならない位置に設けられることが好ましい。本例の排尿口２０６は、採尿口２１との距離が略最大となる位置にある。排尿口２０６の径は、採尿口２１の短径よりも小さい。
【００６１】
開閉部２０８は、円筒部２１２の後端部に連結される。開閉部２０８は、貯留部４と排尿口２０６とを連通する流路を開閉可能な開閉バルブ２２１を備える。使用者は開閉バルブ２２１を、回転軸を中心に平面視時計回り又は反時計回りに回転操作することで、貯留部４と排尿口２０６とを連通する流路の開閉を容易に切り替えることができる。尿器２０１では、開閉部２０８の構成が比較的容易である。
【００６２】
係合部２０７は、開閉部２０８の前端部に接続する。係合部２０７は、内周面に、汎用の外部容器Ｐ（例えば、汎用の５００ｍｌ容のペットボトル）の開口部Ｐ１のネジ山と係合可能な係合溝を有する。尿器２０１は、外部容器Ｐを係合部２０７に係合した状態で、貯留部４に貯留された尿を、外部容器Ｐに排出できる。尿器２０１は、貯留部４に貯留された尿を外部容器Ｐに排出するときの操作性を向上でき、尿が外部容器Ｐの外に飛散することを防止できる。
【００６３】
図１３の変形例の２０１において、係合部２０７は省略されてよい。開閉部２０８は、公知の他のバルブに変更されてよい。開閉部２０８は、第２実施形態のアダプタ１００の第１円盤部１１１と第２円盤部１１２のような構成によって貯留部と排尿口との間の流路を切り替え可能な構成であってもよい。
【００６４】
（Ｄ）蓋体２５は適宜省略されてよい。蓋体２５の構成は適宜変更されてよい。例えば、蓋体２５は、採尿口２１を覆う構成でもよい。
【符号の説明】
【００６５】
１、１０１、２０１      尿器
２      尿受部
３      伸縮部
４      貯留部
５      把持部
６、２０６    排尿口
７、２０７    係合部
８、２０８    開閉部
７１    第１係合部
８１    封止部材
８３    付勢部材
１１０  第２係合部
１１１  第１円盤部
１１２  第２円盤部
１１６  第１孔
１２１  第２孔
１２３  第３孔
【要約】
【課題】従来に比べ快適に使用可能な尿器を提供すること。
【解決手段】携帯可能な尿器１は、尿受部２、貯留部４、伸縮部３、及び把持部５を備える。尿受部２は、採尿口２１と連通口２２とを有する中空状である。貯留部４は、尿受部２を回動可能に枢支する支持部４２を有し、連通口２２から供給される尿を貯留可能である。伸縮部３は、尿受部２が貯留部４に対して回動可能に伸縮可能であり、尿受部２と、貯留部４との間の流路を有する。把持部５は、貯留部４に固定される。
【選択図】図２【図１】
0005948477.tif 000002
【図２】
0005948477.tif 000003
【図３】
0005948477.tif 000004
【図４】
0005948477.tif 000005
【図５】
0005948477.tif 000006
【図６】
0005948477.tif 000007
【図７】
0005948477.tif 000008
【図８】
0005948477.tif 000009
【図９】
0005948477.tif 000010
【図１０】
0005948477.tif 000011
【図１１】
0005948477.tif 000012
【図１２】
0005948477.tif 000013
【図１３】
0005948477.tif 000014